(57)【要約】【課題】  各種の障害や問題を解決し、化学肥料を使用せずに、丈夫で健全な芝生を育成することができる芝生育成肥料及び芝生の育成方法を提供することを課題とする。【解決手段】  化学肥料に変えて効果的な有機肥料を使用するものであり、直接散布により効果を充分に発揮させることができる芝生用の肥料であり、培養土に、少なくとも人工ゼオライトと、鶏糞と、米ぬか粉砕物と、木材チップ（ガジマル又は杉）と、砂が混合されていることを特徴とする芝生育成肥料である。  また、この芝生育成肥料を粒子径が３ｍｍ以下となるように、粒度調整処理し、芝生に対して直接散布し、灌水することを特徴とする芝生の育成方法である。【選択図】  図１
2007176766.tif 000002
【特許請求の範囲】
【請求項１】
培養土に、少なくとも人工ゼオライトと、鶏糞と、米ぬか粉砕物と、木材チップ（ガジマル又は杉）と、砂が混合されていることを特徴とする芝生育成肥料。
【請求項２】
前記の芝生育成肥料の重量配合割合が、人工ゼオライトは０．０１〜１．０％、鶏糞は２０〜５０％、米ぬか粉砕物は３〜１０％、木材チップは２０〜６０％、砂が２０〜６０％であり、残りが培養土であることを特徴とする請求項１に記載の芝生育成肥料。
【請求項３】
前記の請求項１又は請求項２に記載の芝生育成肥料を粒子径が３ｍｍ以下となるように、粒度調整処理し、芝生に対して直接散布し、灌水することを特徴とする芝生の育成方法。
【発明の詳細な説明】
【技術分野】
【０００１】
本発明は、ゴルフ場などの芝生の育成方法に関し、特に、化学肥料を使用せずに充分な芝生の育成を可能とする芝生育成肥料及び芝生の育成方法に関する。
【背景技術】
【０００２】
従来より、ゴルフ場などにおける芝生の育成においては、丈夫で青々とした鮮やかな色を維持し、芝生の常時刈り込みを行い、ゴルフプレイなどに最適な育成状態を維持することが要求されるため、通常の庭園などの芝生育成よりも多くの肥料の施肥が必要であり、育成面積が広大であるため、大量の肥料が必要となる。
【０００３】
肥料が少ないと、全体に葉が黄色くまだらになり、見苦しくなってしまう。
【０００４】
また、貧弱な芝生では、病害にもなりやすくなり、農薬も多く必要となってしまうなど、丈夫で健全な芝生を育成することが重要である。
【０００５】
このように大量の肥料が必要であるが、ゴルフのプレイ中には施肥できないため、施肥回数が制限され、一度に大量の肥料を施肥しなければならないという問題がある。
【０００６】
特に近年では、大量の化学肥料が使用されることが多く、土壌の酸性化や肥料焼けなどの土壌障害や、肥料障害が発生しており、その対策に苦慮している。
【０００７】
また、それらの障害により、芝生の健全性が損なわれ、病害の発生も多くなり、農薬の大量使用ともなっており、近隣での残留農薬問題なども大きな社会問題となってきている。
【０００８】
芝生の健康な成長と発育のためには一定の養分が必要であり、これらの養分は、比較的多量に必要な多量養分と、少量だけ必要な微量養分に分けられる。
【０００９】
それらの大部分は空気や水や土壌中に十分な量が存在しているため、肥料に加える必要はないが、いくつかの養分は定期的に与える必要があり、窒素、リン、カリはもっとも頻繁に与える必要がある多量成分であり、鉄分はもっとも頻繁に与える必要がある微量成分とされている。
【００１０】
これらの養分を効率良く、低コストで施肥するために、化学肥料が用いられている。
【００１１】
この化学肥料は、肥料効果が長く、施肥障害が少なくなるように、様々な種類の化学肥料が開発され、市販されている。
【特許文献１】特開２００２−８４８７７号公報
【発明の開示】
【発明が解決しようとする課題】
【００１２】
しかしながら、上記に示すように、化学肥料による土壌障害や肥料障害、病害や関連する農薬問題など、多くの問題を抱えており、有機肥料を使用するなどの対策が行われているが、肥料効果の持続性の低下など充分な解決策となっていないのが現状である。
【００１３】
本発明は、このような、各種の障害や問題を解決し、化学肥料を使用せずに、丈夫で健全な芝生を育成することができる芝生育成肥料及び芝生の育成方法を提供することを課題とする。
【課題を解決するための手段】
【００１４】
本発明は、前記に示す課題を解決するために、化学肥料に変えて効果的な有機肥料を使用するものであり、直接散布により効果を充分に発揮させることができる芝生用の肥料であり、その育成方法である。
【００１５】
本発明の請求項１では、培養土に、少なくとも人工ゼオライトと、鶏糞と、米ぬか粉砕物と、木材チップ（ガジマル又は杉）と、砂が混合されていることを特徴とする芝生育成肥料である。
【００１６】
該人工ゼオライトは、珪酸成分またはアルミニウム成分を含有する産業廃棄物、珪酸およびアルミニウムを非結晶性の珪酸アルミニウム塩として含む自然廃棄物、産業廃棄物の焼却灰または可燃性廃棄物の焼却灰等に珪酸富化材あるいはアルミニウム富化材を混合してアルカリ条件下で加熱または加圧反応させて得られた陽イオン交換能を有する物質である。
【００１７】
市販されている種々の人工ゼオライトが使用可能である。
【００１８】
本発明を実施するに際しては、吸着能力に優れたものが良く、フィリップサイトを主とする人工ゼオライトを用いるのが好ましい。
【００１９】
また、該人工ゼオライトは、その優れた吸着力により、過剰の窒素成分を吸着し、肥料焼けを防止する役目をする。
【００２０】
また、有機酸を吸着あるいは中和し、培養土の酸性化を抑制し、根ぐされの原因となる担子菌類の繁殖を防止するものである。
【００２１】
該木材チップは、ガジュマル又は杉の原木を用い、これらの樹木をチップ状に粉砕したものである。
【００２２】
悪い菌類を抑え、育成に良い菌類を増殖させる作用があり、病害の防止作用を有する。
【００２３】
該ガジュマルは、沖縄県など見られる、クワ科の常緑高木で広く熱帯・亜熱帯に産する。
【００２４】
該米ぬか粉砕物は、米ぬかを乾燥、粉砕処理したものであり、芝生の栄養成分である。
【００２５】
該鶏糞は、鶏の糞を発酵乾燥させ、粉砕したものであり、市販されている種々の鶏糞肥料を使用することができる。
【００２６】
また、鶏の糞を減圧乾燥機で発酵させた鶏糞肥料でも良い。
【００２７】
該培養土は、通常使用される培養土でよい。
【００２８】
充分にほぐして散布しやすい状態としておくことが好ましい。
【００２９】
該砂は、通常使用されている砂でよく。
【００３０】
洗浄処理などにより塩分の少ないものが好ましい。
【００３１】
本発明の請求項２では、前記の芝生育成肥料の重量配合割合が、人工ゼオライトは０．０１〜１．０％、鶏糞は２０〜５０％、米ぬか粉砕物は３〜１０％、木材チップは２０〜６０％、砂が２０〜６０％であり、残りが培養土であることを特徴とする請求項１に記載の芝生育成肥料である。
【００３２】
本発明の請求項３では、前記の請求項１又は請求項２の項に記載の芝生育成肥料を粒子径が３ｍｍ以下となるように、粒度調整処理し、芝生に対して直接散布し、灌水することを特徴とする芝生の育成方法である。
【発明の効果】
【００３３】
以上、詳細に説明した本発明では、以下に示すような効果がある。
【００３４】
１）化学肥料を使用することなく、有機肥料により、丈夫で健全な芝生を育成することができる。
【００３５】
２）土壌障害や肥料障害を防止できる。
【００３６】
３）病害に強い芝生を育成できる。
【００３７】
４）粉状肥料により、ゴルフ場使用中においても施肥が可能となる。
【００３８】
５）農薬の使用を抑えることで、近隣への残留農薬の問題が解消される。
【発明を実施するための最良の形態】
【００３９】
本発明の一実施形態について以下に説明する。
【００４０】
本実施形態の例は、ゴルフ場の芝生の育成方法及びその育成肥料についての実施例である。
【００４１】
ゴルフ場の芝生においては、芝生の植生面積が非常に広いため、大量の肥料が必要であり、営業中は、施肥できないため、休業時に一度に施肥するため、肥料効果を長くするために、一度に大量の施肥を行うことが多い。
【００４２】
以下に本発明の芝生育成肥料の製造方法について図面を用いて説明する。
【００４３】
図１は、本発明による芝生育成肥料の製造工程を示すフロー図である。
【００４４】
以下の手順で製造する。
【００４５】
１）人工ゼオライト１は、中部電力（株）製の人工ゼオライトを使用し、破砕処理２を行い、粒径を３ｍｍ以下に破砕する。
【００４６】
２）木材チップ３は、ガジュマルの木をチップ化したものを使用し、破砕処理４を行い、粒径を３ｍｍ以下に破砕する。
【００４７】
３）米ぬか５は、市販される米ぬかを使用することができる。
【００４８】
沖縄食糧（株）製の米ぬかを使用する。
【００４９】
４）鶏糞肥料６は、鶏糞を減圧乾燥機で発酵させたものを使用した。
【００５０】
５）砂１１は、一般に市販されている資材用の砂を使用できる。
【００５１】
６）培養土１０は、一般に市販されている培養土を使用できる。
【００５２】
本例では、赤土７と黒土８の混合処理９し、弱アルカリの培養土１０とした。
【００５３】
以上の人工ゼオライト１を０．５ｋｇと、ガジュマル木材チップ３を２５ｋｇと、米ぬか５を７ｋｇと、鶏糞肥料６を２０ｋｇとを配合１２する。
【００５４】
配合した混合物を粉砕装置にて粒径３ｍｍ以下に粒度調整１３する。
【００５５】
粒度調整した、混合物に、２３ｋｇの培養土１０と、２５ｋｇの砂１１をミキサーで混合１４し、１ヶ月程度熟成１５して育成肥料１６とした。
【００５６】
次に、上記の育成肥料を用いて、ゴルフ場に施肥する方法について説明する。
【００５７】
ゴルフ場の芝生の育成は、コースによっても異なるが、一般にフェアウエイよりもグリーンの方が丁寧に育成される。
【００５８】
グリーンにおいては、常に刈り込みが行われるため、施肥も充分に行う必要がある。
【００５９】
上記のように配合された育成肥料は、フェアウエイにおいては、１平方メートル当り２ｋｇ〜５ｋｇとし、週に１回施肥する。
【００６０】
グリーンにおいては、１平方メートル当り３ｋｇ〜７ｋｇとし、週に１回施肥する。
【００６１】
細かい粉状肥料であるため、直接散布でき、灌水により、容易に土壌中に浸透させることができる。
【００６２】
全体に均一となるように散布する。
【００６３】
灌水は、人工ゼオライト処理水を使用する。
【００６４】
該人工ゼオライト処理水は、水道水又は地下水を人工ゼオライト粒が充填されたフィルターを透過させることにより処理したものを用いた。
【００６５】
該人工ゼオライトは、市販されている６ｍｍφの人工ゼオライト粒を用い、１０ｋｇを円筒状フィルターに充填し、散水配管に連結設置した構成とした。
【００６６】
灌水は、上記の人工ゼオライト処理水を用いて、ゴルフ場に既設のスプリンクラーにより散水した。
【００６７】
灌水量は、１平方メートル当り、１０〜２０リットルとなるように散水した。
【００６８】
本実施例により、人工ゼオライトにより、米ぬかの肥料成分の保持力、及び農薬などの有害成分の吸着力などが発揮され、ガジュマルの木の有用菌の制御効果により病害に強くなり、丈夫で健全な芝生を育成でき、水道水のクラスターが小さくされた人工ゼオライト処理水により、栄養成分の芝生への吸収を促進し、人工ゼオライトの吸着性能をアップさせ、人工ゼオライトのミネラル成分の土壌への付与ともなり、またガジュマルの木の有用菌の活性化を促進する。
【００６９】
そしてそれらの効果を土壌に均質に提供できるものである。
【００７０】
これにより、年間数千万円にもなる、化学肥料および農薬の経費を半分以下に抑えることができ、かつ、丈夫で健全な芝生を育成することができるものである。
【図面の簡単な説明】
【００７１】
【図１】本発明による芝生育成肥料の製造工程を示すフロー図である。
【符号の説明】
【００７２】
１  人工ゼオライト
２、４  破砕処理
３  木材チップ（ガジュマル）
５  米ぬか
６  鶏糞肥料
７  赤土
８  黒土
９  混合
１０  培養土
１１  砂
１２  配合
１３  粒度調整
１４  混合
１５  熟成
１６  育成肥料
【図１】
2007176766.tif 000003